【手続補正書】
【提出日】平成25年9月24日(2013.9.24)
【手続補正１】
【補正対象書類名】明細書
【補正対象項目名】発明の名称
【補正方法】変更
【補正の内容】
【発明の名称】画像処理装置及びその倍率色収差補正方法、撮像装置、倍率色収差補正プログラム、並びに記録媒体
【手続補正２】
【補正対象書類名】明細書
【補正対象項目名】０００１
【補正方法】変更
【補正の内容】
【０００１】
本発明は、画像処理装置及びその倍率色収差補正方法、撮像装置、倍率色収差補正プログラム、並びに記録媒体に関し、特に、撮影画像についてその色収差補正を行うための画像処理装置及びその倍率色収差補正方法、撮像装置、倍率色収差補正プログラム、並びに記録媒体に関する。
【手続補正３】
【補正対象書類名】明細書
【補正対象項目名】００１５
【補正方法】変更
【補正の内容】
【００１５】
従って、本発明の目的は、撮影画像を用いて倍率色収差の補正を行う際、撮影画像の周辺領域においても精度よく倍率色収差の補正を行うことのできる画像処理装置及びその倍率色収差補正方法、撮像装置、倍率色収差補正プログラム、並びに記録媒体を提供することにある。
【手続補正４】
【補正対象書類名】明細書
【補正対象項目名】００１６
【補正方法】変更
【補正の内容】
【００１６】
上記の目的を達成するため、本発明による画像処理装置は、撮像レンズを有する結像光学系を介して得られ、複数色の色信号を備える画像データについて倍率色収差の補正処理を行う画像処理装置であって、予め規定された条件に適合する前記画像データにおける第１の領域については、該第１の領域を含む領域の画像データを用いて倍率色収差の補正量を決定し、予め規定された条件に適合しない前記画像データにおける第２の領域については、前記撮像レンズの設計値から倍率色収差の補正量を決定する決定手段を有することを特徴とする。
【手続補正５】
【補正対象書類名】明細書
【補正対象項目名】００１７
【補正方法】変更
【補正の内容】
【００１７】
本発明による撮像装置は、上記の画像処理装置と、撮像レンズを有し、被写体を撮像するための結像光学系と、前記結像光学系による光学像が結像されて、当該光学像に応じた電気信号を得る撮像素子と、前記電気信号をアナログデジタル変換して画像データとするアナログデジタル変換手段とを有することを特徴とする。
【手続補正６】
【補正対象書類名】明細書
【補正対象項目名】００１８
【補正方法】変更
【補正の内容】
【００１８】
本発明による倍率色収差補正方法は、撮像レンズを有する結像光学系を介して得られ、複数色の色信号を備える画像データについて倍率色収差の補正処理を行うための倍率色収差補正方法であって、予め規定された条件に適合する前記画像データにおける第１の領域については、該第１の領域を含む領域の画像データを用いて倍率色収差の補正量を決定し、予め規定された条件に適合しない前記画像データにおける第２の領域については、前記撮像レンズの設計値から倍率色収差の補正量を決定する決定ステップを有することを特徴とする。
【手続補正７】
【補正対象書類名】明細書
【補正対象項目名】００１９
【補正方法】変更
【補正の内容】
【００１９】
本発明による倍率色収差補正プログラムは、撮像レンズを有する結像光学系を介して得られ、複数色の色信号を備える画像データについて倍率色収差の補正処理を行うための倍率色収差補正プログラムであって、コンピュータに、予め規定された条件に適合する前記画像データにおける第１の領域については、該第１の領域を含む領域の画像データを用いて倍率色収差の補正量を決定し、予め規定された条件に適合しない前記画像データにおける第２の領域については、前記撮像レンズの設計値から倍率色収差の補正量を決定する決定ステップを実行させることを特徴とする。
【手続補正８】
【補正対象書類名】明細書
【補正対象項目名】００２０
【補正方法】変更
【補正の内容】
【００２０】
本発明による記録媒体は、上記の倍率色収差補正プログラムが記録されたコンピュータに読み取り可能な記録媒体である。
【手続補正９】
【補正対象書類名】明細書
【補正対象項目名】００２１
【補正方法】変更
【補正の内容】
【００２１】
本発明によれば、撮影画像を用いて倍率色収差の補正を行う際、撮影画像の周辺領域においても精度よく倍率色収差の補正を行うことができるという効果がある。
【手続補正１０】
【補正対象書類名】特許請求の範囲
【補正対象項目名】全文
【補正方法】変更
【補正の内容】
【特許請求の範囲】
【請求項１】
撮像レンズを有する結像光学系を介して得られると共に複数色の色信号を備える画像データについて倍率色収差の補正処理を行う画像処理装置であって、
予め規定された条件に適合する前記画像データにおける第１の領域については、該第１の領域を含む領域の画像データを用いて倍率色収差の補正量を決定し、予め規定された条件に適合しない前記画像データにおける第２の領域については、前記撮像レンズの設計値から倍率色収差の補正量を決定する決定手段を有することを特徴とする画像処理装置。
【請求項２】
前記第１の領域における画像データに基づいて、前記第１の領域における倍率色収差量を領域倍率色収差量として算出する第１の算出手段と、
前記撮像レンズの設計値に基づいて、前記第１の領域および前記第２の領域の各々における倍率色収差量をそれぞれレンズ倍率色収差量として算出する第２の算出手段を更に有し、
前記決定手段は、前記第１の領域の前記領域倍率色収差量、前記第１の領域の前記レンズ倍率色収差量、および前記第２の領域の前記レンズ倍率色収差量に基づいて、前記第２の領域における倍率色収差の補正量を決定することを特徴とする請求項１に記載の画像処理装置。
【請求項３】
前記決定手段は、前記画像データの領域に含まれるエッジの数が所定の数未満であると、当該領域を前記第２の領域とし、エッジの数が所定の数未満でないと、当該領域を前記第１の領域とすることを特徴とする請求項１または２に記載の画像処理装置。
【請求項４】
前記決定手段は、前記画像データの領域における前記領域倍率色収差量の分散値が所定の分散値よりも大きいと、当該領域を前記第１の領域とし、前記領域倍率色収差量の分散値が所定の分散値より大きくないと、当該領域を前記第２の領域とすることを特徴とする請求項２に記載の画像処理装置。
【請求項５】
前記決定手段は、第２の領域に隣接する前記第１の領域における前記領域倍率色収差量と前記レンズ倍率色収差量との差分を求めて、当該差分を前記第２の領域におけるレンズ倍率色収差量に加算して、前記第２の領域に倍率色収差の補正量を決定することを特徴とする請求項２に記載の画像処理装置。
【請求項６】
請求項１〜５のいずれか１項に記載の画像処理装置と、
撮像レンズを有し、被写体を撮像するための結像光学系と、
前記結像光学系による光学像が結像されて、当該光学像に応じた電気信号を得る撮像素子と、
前記電気信号をアナログデジタル変換して画像データとするアナログデジタル変換手段とを有することを特徴とする撮像装置。
【請求項７】
撮像レンズを有する結像光学系を介して得られると共に複数色の色信号を備える画像データについて倍率色収差の補正処理を行うための倍率色収差補正方法であって、
予め規定された条件に適合する前記画像データにおける第１の領域については、該第１の領域を含む領域の画像データを用いて倍率色収差の補正量を決定し、予め規定された条件に適合しない前記画像データにおける第２の領域については、前記撮像レンズの設計値から倍率色収差の補正量を決定する決定ステップを有することを特徴とする倍率色収差補正方法。
【請求項８】
撮像レンズを有する結像光学系を介して得られると共に複数色の色信号を備える画像データについて倍率色収差の補正処理を行うための倍率色収差補正プログラムであって、
コンピュータに、
予め規定された条件に適合する前記画像データにおける第１の領域については、該第１の領域を含む領域の画像データを用いて倍率色収差の補正量を決定し、予め規定された条件に適合しない前記画像データにおける第２の領域については、前記撮像レンズの設計値から倍率色収差の補正量を決定する決定ステップを実行させることを特徴とする倍率色収差補正プログラム。
【請求項９】
請求項８に記載の倍率色収差補正プログラムが記録されたコンピュータに読み取り可能な記録媒体。